(57)【要約】【課題】加熱調理器用のガス弁装置７であって、バルブケーシング７１内に、電磁安全弁７２と、モータ７４により軸方向に駆動される操作ロッド７６と、軸方向に移動自在な弁座部材７７とを設け、操作ロッド７６の軸方向一方への移動で、操作ロッド７６に設けられた押圧部７６ａが弁座部材７７に設けられた受圧部７７ａに当接して、弁座部材７７が軸方向一方に押動され、弁座部材７７を介して安全弁用弁体７２２が開弁位置に押動されるようにしたものにおいて、点火操作からバーナ点火までにかかる時間を短縮できるようにする。【解決手段】点火操作が行われる前に、操作ロッド７６を押圧部７６ａが受圧部７７ａに当接した状態又は当接する直前の状態になる所定の待機位置に移動させて待機させる。好ましくは、待機位置は、安全弁用弁体７２２が開弁位置又は開弁位置に近接した位置に存する状態になる操作ロッド７６の位置に設定される。【選択図】図３
2019100681.tif 000002
【特許請求の範囲】
【請求項１】
被調理物を加熱するバーナと、バーナの点火及び消火のために操作される点消火操作部材とを備える加熱調理器のバーナへのガス供給路に介設される加熱調理器用のガス弁装置であって、
バルブケーシング内に、電磁安全弁と、モータにより軸方向に駆動される操作ロッドと、軸方向に移動自在な弁座部材とが設けられ、電磁安全弁は、軸方向一方を往動方向、軸方向他方を復動方向として、弁座部材に往動方向を向くように設けられた安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備え、
操作ロッドに、弁座部材に設けられた復動方向を向く受圧部に対向する押圧部が設けられると共に、バルブケーシング内に、弁座部材の復動方向への移動を安全弁用弁座に安全弁用弁体が着座可能な所定の復動端位置で制止する弁座ストッパと、弁座部材を復動方向に付勢する弁座バネとが設けられ、操作ロッドの往動方向への移動により、押圧部を受圧部に当接させて弁座部材を復動端位置から往動方向に押動させ、安全弁用弁座を安全弁用弁体に当接させて、安全弁用弁体を電磁石に吸着片が当接する開弁位置まで弁バネの付勢力に抗して押動させるようにしたものにおいて、
点消火操作部材による点火操作が行われる前に、操作ロッドを、押圧部が受圧部に当接した状態又は復動端位置に存する弁座部材の受圧部から所定の微小距離に接近した状態になる所定の待機位置に移動させて待機させることを特徴とする加熱調理器用ガス弁装置。
【請求項２】
前記待機位置は、前記安全弁用弁体が前記開弁位置又は開弁位置から所定の微小距離に接近した位置に存する状態になる前記操作ロッドの位置に設定されることを特徴とする請求項１記載の加熱調理器用ガス弁装置。
【請求項３】
前記押圧部と前記受圧部との少なくとも一方に、押圧部と受圧部とが線接触又は点接触するように凸部が設けられることを特徴とする請求項１又は２記載の加熱調理器用ガス弁装置。
【発明の詳細な説明】
【技術分野】
【０００１】
本発明は、被調理物を加熱するバーナと、バーナの点火及び消火のために操作される点消火操作部材とを備える加熱調理器のバーナへのガス供給路に介設される加熱調理器用のガス弁装置に関する。
【背景技術】
【０００２】
従来、この種のガス弁装置として、特許文献１により、バルブケーシング内に、電磁安全弁と、モータにより軸方向に駆動される操作ロッドと、軸方向に移動自在な弁座部材とを設けたものが知られている。このもので、電磁安全弁は、軸方向一方を往動方向、軸方向他方を復動方向として、弁座部材に往動方向を向くように設けられた安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備えている。また、操作ロッドに、弁座部材に設けられた復動方向を向く受圧部に対向する押圧部が設けられると共に、バルブケーシング内に、弁座部材の復動方向への移動を安全弁用弁座に安全弁用弁体が着座可能な所定の復動端位置で制止する弁座ストッパと、弁座部材を復動方向に付勢する弁座バネとが設けられている。そして、操作ロッドの往動方向への移動により、押圧部を受圧部に当接させて弁座部材を復動端位置から往動方向に押動させ、安全弁用弁座を安全弁用弁体に当接させて、安全弁用弁体を電磁石に吸着片が当接する開弁位置まで弁バネの付勢力に抗して押動させるようにしている。
【０００３】
上記ガス弁装置によれば、操作ロッドの往動方向への移動により、弁座部材を介して安全弁用弁体を開弁位置に押動させた状態で電磁石に通電して、安全弁用弁体を開弁位置に吸着した後、操作ロッドを復動方向に移動させることにより、安全弁用弁座が開弁位置に吸着される安全弁用弁体から離れて、電磁安全弁が開弁される。そして、安全弁用弁体が開弁位置に保持されたままになる開故障を生じても、操作ロッドを往動方向に再度移動させることにより、安全弁用弁座を安全弁用弁体に押し付けて電磁安全弁を閉弁させ、ガスの放出を防止することができる。また、操作ロッドが往動位置にロックしても、電磁安全弁は閉弁されているから、ガスの放出を防止することができる。従って、電磁安全弁の開故障を生じたときや操作ロッドが往動位置にロックしたときのフェールセーフを図ることができる。
【０００４】
ここで、バーナ燃焼時、通常、操作ロッドは、復動端位置に存する弁座部材の受圧部から押圧部が復動方向にある程度離れるような位置に移動している。そして、点消火操作部材による消火操作が行われたときに、操作ロッドは移動させずに、電磁石への通電を停止して、電磁安全弁を閉弁させることでバーナへのガス供給を停止している。
【０００５】
そのため、点消火操作部材による点火操作が行われたときに、操作ロッドをバーナ燃焼時の通常位置（復動端位置に存する弁座部材の受圧部から押圧部が復動方向にある程度離れる位置）から往動方向に移動させることが多くなる。その結果、操作ロッドの往動方向への移動開始から復動端位置に存する弁座部材の受圧部に押圧部が当接するまでに時間がかかると共に、その後、安全弁用弁体を開弁位置に押動させるにも時間がかかり、点火操作からバーナ点火までにかかる時間が長くなってしまう。
【先行技術文献】
【特許文献】
【０００６】
【特許文献１】特開２０１３−６８３５６号公報
【発明の概要】
【発明が解決しようとする課題】
【０００７】
本発明は、以上の点に鑑み、点火操作からバーナ点火までにかかる時間を短縮できるようにした加熱調理器用ガス弁装置を提供することをその課題としている。
【課題を解決するための手段】
【０００８】
上記課題を解決するために、本発明は、被調理物を加熱するバーナと、バーナの点火及び消火のために操作される点消火操作部材とを備える加熱調理器のバーナへのガス供給路に介設される加熱調理器用のガス弁装置であって、バルブケーシング内に、電磁安全弁と、モータにより軸方向に駆動される操作ロッドと、軸方向に移動自在な弁座部材とが設けられ、電磁安全弁は、軸方向一方を往動方向、軸方向他方を復動方向として、弁座部材に往動方向を向くように設けられた安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備え、操作ロッドに、弁座部材に設けられた復動方向を向く受圧部に対向する押圧部が設けられると共に、バルブケーシング内に、弁座部材の復動方向への移動を安全弁用弁座に安全弁用弁体が着座可能な所定の復動端位置で制止する弁座ストッパと、弁座部材を復動方向に付勢する弁座バネとが設けられ、操作ロッドの往動方向への移動により、押圧部を受圧部に当接させて弁座部材を復動端位置から往動方向に押動させ、安全弁用弁座を安全弁用弁体に当接させて、安全弁用弁体を電磁石に吸着片が当接する開弁位置まで弁バネの付勢力に抗して押動させるようにしたものにおいて、点消火操作部材による点火操作が行われる前に、操作ロッドを、押圧部が受圧部に当接した状態又は復動端位置に存する弁座部材の受圧部から所定の微小距離に接近した状態になる所定の待機位置に移動させて待機させることを特徴とする。
【０００９】
本発明によれば、点火操作後、操作ロッドの往動方向への移動開始から復動端位置に存する弁座部材の受圧部に押圧部が当接するまでに要する時間を零又は極めて短くすることができ、点火操作からバーナ点火までにかかる時間をその分短縮できる。
【００１０】
また、本発明において、上記待機位置は、安全弁用弁体が開弁位置又は開弁位置から所定の微小距離に接近した位置に存する状態になる操作ロッドの位置に設定されることが望ましい。これによれば、点火操作後、安全弁用弁体を開弁位置に押動させるまでにかかる時間を零又は極めて短くすることができ、点火操作からバーナ点火までにかかる時間をより一層短縮できる。
【００１１】
また、本発明においては、押圧部と受圧部との少なくとも一方に、押圧部と受圧部とが線接触又は点接触するように凸部が設けられることが望ましい。これによれば、配管施工時にガス配管に塗布したシール剤が万一ガス弁装置内に侵入して、押圧部と受圧部との当接部分に付着しても、押圧部と受圧部との両者の接触面積が小さくなるため、押圧部が受圧部から引き離し不能となるほど受圧部に強く固着することを防止できる。
【図面の簡単な説明】
【００１２】
【図１】本発明の実施形態のガス弁装置を具備する加熱調理器の一例の斜視図。
【図２】図１の加熱調理器のガス回路を示す図。
【図３】本発明の実施形態のガス弁装置の切断側面図。
【図４】実施形態のガス弁装置が具備する連動機構の分解斜視図。
【図５】（ａ）（ｂ）（ｃ）実施形態のガス弁装置の作動を示す要部の切断側面図。
【図６】（ａ）実施形態のガス弁装置の押圧部と受圧部の拡大切断側面、（ｂ）図６（ａ）のＢ−Ｂ線で切断した操作ロッドの断面図。
【図７】（ａ）他の実施形態のガス弁装置の押圧部と受圧部の拡大切断側面、（ｂ）図７（ａ）のＢ−Ｂ線で切断した操作ロッドの断面図。
【発明を実施するための形態】
【００１３】
図１は、ビルトイン式のコンロから成る加熱調理器を示している。この加熱調理器は、図示省略したシステムキッチンのカウンタトップに開設した開口に落とし込むようにして設置される調理器本体１と、調理器本体１の上面を覆うようにしてカウンタトップ上に載置される天板２と、天板２上に露出し、天板２上の五徳２１に載置する鍋等の被調理物（図示せず）を加熱する前側左の♯１と前側右の♯２と後側の♯３の計３個のバーナ３と、調理器本体１内に組み込んだグリル４とを備えている。
【００１４】
図２を参照して、加熱調理器用のガス供給路５は、これに介設した元弁６の下流側で４本の分岐路５ａに分岐され、そのうち３本の分岐路５ａが♯１〜♯３のバーナ３に接続され、残りの１本の分岐路５ａがグリル４に設けられた、グリル４内の被調理物を加熱する♯４のバーナ３に接続されている。各分岐路５ａには、後述する電磁安全弁７２と流量調節弁７３とが組み込まれた♯１〜♯４の各ガス弁装置７が介設されている。
【００１５】
また、各バーナ３には、点火電極３１が付設されている。そして、♯１〜♯３の３個のバーナ３の３個の点火電極３１に高電圧を印加するイグナイタ３２１と、♯４のバーナ３の点火電極３１に高電圧を印加するイグナイタ３２２とが設けられている。また、各バーナ３には、図示省略した熱電対等の火炎検知素子も付設されている。
【００１６】
調理器本体１の前面パネル１ａには、電源スイッチ１１と、♯１〜♯４のバーナ３用の点消火操作部材たる♯１〜♯４の点消火ボタン１２とが設けられている。各点消火ボタン１２は、プッシュプッシュ式であって、前面パネル１ａに没入した図１に示す消火位置から一旦押し込んで押込み解除することにより前面パネル１ａの前方の燃焼位置に突出し、この状態で火力調節のために回動操作することができるようになっている。各バーナ３の点消火ボタン１２の操作検知スイッチ（図示省略）からの信号は、各バーナ３の火炎検知素子からの信号と共に電子制御手段たるマイクロコンピュータから成るコントローラ８に入力される。そして、このコントローラ８により、イグナイタ３２１，３２２、元弁６及び♯１〜♯４の各ガス弁装置７が制御される。
【００１７】
図３を参照して、ガス弁装置７は、筒状のバルブケーシング７１と、バルブケーシング７１内の軸方向一方寄り部分に配置した電磁安全弁７２と、バルブケーシング７１内の軸方向他方寄り部分に、電磁安全弁７２と直列に配置した流量調節弁７３と、バルブケーシング７１の軸方向他方の端部に取付けられるボックス７１１の外端に搭載したステッピングモータから成るモータ７４と、バルブケーシング７１内に軸方向他方から挿入され、モータ７４により連動機構７５を介して軸方向に駆動される操作ロッド７６と、バルブケーシング７１内に軸方向に移動自在に設けられた弁座部材７７とを備えている。以下の説明では、軸方向一方を往動方向、軸方向他方を復動方向と記す。
【００１８】
バルブケーシング７１には、電磁安全弁７２の上流側に位置するガス流入口７１ａと、流量調節弁７３の下流側に位置するガス流出口７１ｂとが開設されている。そして、電磁安全弁７２が開弁したとき、ガス流入口７１ａからガス流出口７１ｂにガスが流れ、対応するバーナ３にガスが供給されるようにしている。
【００１９】
電磁安全弁７２は、弁座部材７７に往動方向を向くように形成した安全弁用弁座７２１
と、安全弁用弁座７２１に対向する安全弁用弁体７２２と、安全弁用弁体７２２を復動方向に付勢して安全弁用弁座７２１に着座させる弁バネ７２３と、安全弁用弁体７２２に往動方向にのびる弁軸７２２ａを介して連結した吸着片７２４と、吸着片７２４に対向する電磁石７２５とを備えている。そして、安全弁用弁体７２２を吸着片７２４が電磁石７２５に当接する開弁位置まで弁バネ７２３に抗して押動させた状態で電磁石７２５に通電することにより、安全弁用弁体７２２が開弁位置に吸着保持されるようにしている。また、バーナ３に付設する火炎検知素子により失火が検知されたときや、点消火ボタン１２を燃焼位置から押し込んで消火位置に戻す消火操作を行ったときは、電磁石７２５への通電を停止し、安全弁用弁体７２２を弁バネ７２３により安全弁用弁座７２１に着座する閉弁位置に復帰させて、電磁安全弁７２を閉弁し、バーナ３へのガス供給を停止する。
【００２０】
また、バルブケーシング７１内には、弁座部材７７の復動方向への移動を安全弁用弁体７２２が着座可能な所定の復動端位置で制止する、バルブケーシング７１の内面に形成した突起部から成る弁座ストッパ７７１と、弁座部材７７を復動方向に付勢して復動端位置に弾力的に保持する弁座バネ７７２とが設けられている。また、弁座部材７７の外側にガスが流れることを防止するためにベロフラム７７３を設けている。
【００２１】
流量調節弁７３は、弁座部材７７に復動方向を向くように形成した調節弁用弁座７３１と、操作ロッド７６の往動方向側端部に固定された調節弁用弁体７３２とを備えている。調節弁用弁体７３２は、調節弁用弁座７３１に開設した弁孔７３１ａを閉塞するように調節弁用弁座７３１に着座可能な閉塞弁部７３２ａと、弁孔７３１ａに復動方向から挿入可能なニードル部７３２ｂと、流量調節弁７３の上流側と下流側を常時連通するバイパス通路７３２ｃとを有している。尚、本実施形態では、弁座部材７７に設けられる復動方向を向く受圧部７７ａが調節弁用弁座７３１で構成され、操作ロッド７６に設けられる、受圧部７７ａに対向する押圧部７６ａが閉塞弁部７３２ａで構成されている。また、調節弁用弁体７３２を操作ロッド７６に一体に形成しているが、調節弁用弁体７３２を操作ロッド７６と別体として、これを操作ロッド７６に取付けてもよい。
【００２２】
図３及び図４を参照して、連動機構７５は、モータ７４のケース内に組み込んだ減速歯車列７５１と、モータ７４により減速歯車列７５１を介して回転駆動される回転軸７５２と、回転軸７５２に連動して回転するように回転軸７５２に連結子７５３を介して連結される、操作ロッド７６と同心の筒状のカム体７５４と、カム体７５４に形成した螺旋状のカム溝７５４ａに係合する、操作ロッド７６に固定したピン７５５とで構成され、カム体７５４の正転方向と逆転方向への回転でカム溝７５４ａからピン７５５を介して作用する軸方向推力により操作ロッド７６が往動方向と復動方向とに移動するようにしている。
【００２３】
連結子７５３は、断面が非円形の回転軸７５２に嵌合する非円形の孔７５３ａを有し、回転軸７５２と一緒に回転する。また、連結子７５３には、カム体７５４の復動方向側端部に形成した切欠き部７５４ｂに係合して回転力を伝達する突片部７５３ｂが設けられている。カム体７５４には、バルブケーシング７１から復動方向に延出したガイド筒７５６が挿入されている。ガイド筒７５６には、軸方向に長手の長孔７５６ａが形成されており、この長孔７５６ａにピン７５５を軸方向に摺動自在に係合させている。
【００２４】
以上の構成によれば、モータ７４を正転方向に回転させると、連動機構７５、即ち、減速歯車列７５１、回転軸７５２、連結子７５３、カム体７５４及びピン７５５を介して操作ロッド７６が往動方向に移動し、先ず、調節弁用弁体７３２の閉塞弁部７３２ａ（押圧部７６ａ）が弁座ストッパ７７１で制止される復動端位置に存する弁座部材７７の調節弁用弁座７３１（受圧部７７ａ）に当接し、以後、弁座部材７７が閉塞弁部７３２ａに押されて往動方向に移動し、弁座部材７７を介して安全弁用弁体７２２が開弁位置に押動される（図５（ａ）に示す状態）。
【００２５】
点消火ボタン１２を消火位置から燃焼位置に突出させる点火操作が行われると、安全弁用弁体７３２を開弁位置に押動させた状態で電磁石７２５に通電して、安全弁用弁体７２２を開弁位置に吸着保持し、その後、イグナイタ３２１（♯４の点消火ボタンによる点火操作を行ったときはイグナイタ３２２）に通電して点火電極３１での火花放電を行いつつ、モータ７４を逆転方向に回転させて、操作ロッド７６、即ち、調節弁用弁体７３２を復動方向に移動させる。この際、弁座部材７７は、弁座ストッパ７７１により制止される復動端位置まで弁座バネ７７２の付勢力で調節弁用弁体７３２に追従して復動方向に移動し、安全弁用弁座７２１が開弁位置に吸着保持される弁体７２２から離れて、電磁安全弁７２が開弁される。復動端位置に制止される弁座部材７７に対し調節弁用弁体７３２が更に復動方向に移動すると、閉塞弁部７３２ａが調節弁用弁座７３１から離れ、ニードル部７３２ｂが弁孔７３１ａから次第に抜け出て、ガス流量が次第に増加し、バーナ３に点火する。その後、調節弁用弁体７３２が往動方向に移動して所定のストローク範囲、即ち、弁座部材７７が復動端位置に存する状態で調節弁用弁座７３１に閉塞弁部７３２ａが着座する位置（図５（ｂ）の状態）と、開弁位置に存する安全弁用弁体７２２に安全弁用弁座７２１が当接する直前の位置（図５（ｃ）の状態）との間の範囲に存するときであれば、バイパス通路７３２ｃのみを介してガスが流れてガス流量が最小量になる状態に維持される。
【００２６】
尚、安全弁用弁体７２２が開弁位置に到達した瞬間、即ち、吸着片７２４が電磁石７２５に当接した瞬間に、モータ７４を停止することは制御上困難である。そのため、安全弁用弁体７２２が開弁位置に到達した後の更なるモータ７４の正転方向の回転で連動機構７５を介して操作ロッド７６が往動方向に押されると、吸着片７２４と電磁石７２５との当接部に過大な力が加わり、吸着片７２４の傷付きで吸着不良を生ずることがある。
【００２７】
そこで、本実施形態では、カム体７５４を軸方向に移動自在とすると共に、カム体７５４の往動方向への移動を所定位置で制止する、ボックス７１１の端板で構成されるカムストッパ７５７と、カム体７５４を往動方向に付勢するカムバネ７５８とを設けている。そして、安全弁用弁体７２２が開弁位置に到達した後の更なるモータ７４の正転方向の回転で、ピン７５５からカム溝７５４ａを介して作用する軸方向反力によりカム体７５４がカムバネ７５８の付勢力に抗して復動方向に移動するようにしている。これによれば、安全弁用弁体７２２が開弁位置に到達した後に更にモータ７４を正転方向に回転させても、吸着片７２４と電磁石７２５との当接部に過大な力は加わらず、吸着片７２４の傷付きで吸着不良を生ずることを防止できる。尚、安全弁用弁体７２２が開弁位置に到達する前に、弁バネ７２３及び弁座バネ７７２の付勢力に負けてカム体７５４が復動方向に移動することのないように、カムバネ７５８の付勢力は、弁バネ７２３及び弁座バネ７７２の付勢力の合力よりも若干大きくなるように設定される。
【００２８】
ところで、バーナ３の燃焼中、最小火力以外では、調節弁用弁体７３２の閉塞弁部７３２ａ、即ち、操作ロッド７６の押圧部７６ａが、復動端位置に存する弁座部材７７の調節弁用弁座７３１、即ち、受圧部７７ａから復動方向に離れている。そして、バーナ３を最小火力以外の火力で燃焼させている状態で点消火ボタン１２による消火操作が行われたときに、電磁安全弁７２を閉弁させるだけで、操作ロッド７６を燃焼中の位置に保持させたままでは、次に、点消火ボタン１２を消火位置から燃焼位置に突出させる点火操作を行ったときに、バーナ点火までにかかる時間が長くなってしまう。即ち、点火操作が行われたときは、先ず、安全弁用弁体７２２を開弁位置まで押動させるが、押圧部７６ａが復動端位置に存する弁座部材７７の受圧部７７ａから離れていると、操作ロッド７６の往動方向への移動開始から押圧部７６ａが受圧部７７ａに当接するまでに時間がかかると共に、その後、安全弁用弁体７２２を開弁位置に押動させるにも時間がかかり、点火操作からバーナ点火までにかかる時間が長くなってしまう。
【００２９】
そこで、本実施形態では、点消火ボタン１２による点火操作が行われる前に、操作ロッド７６を、押圧部７６ａが受圧部７７ａに当接した状態又は復動端位置に存する弁座部材７７の受圧部７７ａから所定の微小距離(例えば、２ｍｍ以下の所定距離)に接近した状態になる所定の待機位置に移動させて待機させるようにした。これによれば、操作ロッド７６の往動方向への移動開始から復動端位置に存する弁座部材７７の受圧部７７ａに押圧部７６ａが当接するまでに要する時間を零又は極めて短くすることができ、点火操作からバーナ点火までにかかる時間をその分短縮できる。尚、操作ロッド７６の上記待機位置への移動は、点消火ボタン１２による消火操作が行われたときや、電源スイッチ１１のオフ操作が行われたときに行えばよい。
【００３０】
ここで、上述した「押圧部７６ａが受圧部７７ａに当接した状態」には、復動端位置に存する弁座部材７７の受圧部７７ａに押圧部７６ａが当接した状態だけでなく、押圧部７６ａを受圧部７７ａに当接させて弁座部材７７を復動端位置から往動方向に移動開始した後の状態も含まれる。そして、操作ロッド７６の上記待機位置は、安全弁用弁体７２２が開弁位置又は開弁位置から所定の微小距離(例えば、２ｍｍ以下の所定距離)に接近した位置に存する状態になる操作ロッド７６の位置に設定することが望ましい。これによれば、点火操作後、安全弁用弁体７２２を開弁位置に押動させるまでにかかる時間を零又は極めて短くすることができ、点火操作からバーナ点火までにかかる時間をより一層短縮できる。
【００３１】
ところで、操作ロッド７６の押圧部７６ａが弁座部材７７の受圧部７７ａに面接触状態で当接したのでは、以下の不具合を生ずる。即ち、押圧部７６ａが面接触状態で受圧部７７ａに当接して、押圧部７６ａと受圧部７７ａとの両者の接触面積が大きくなると、配管施工時にガス配管に塗布したシール剤がガス弁装置７内に侵入して、押圧部７６ａと受圧部７７ａとの当接部分に付着した場合、押圧部７６ａが受圧部７７ａに強く固着して、押圧部７６ａを受圧部７７ａから引き離せなくなってしまう。
【００３２】
そこで、本実施形態では、押圧部７６ａと受圧部７７ａとの少なくとも一方、例えば、押圧部７６ａに、図６に示す如く、環状の凸部７６ｂを設けて、押圧部７６ａと受圧部７７ａとが線接触するようにしている。これによれば、押圧部７６ａと受圧部７７ａとの両者の接触面積が小さくなるため、シール剤が押圧部７６ａと受圧部７７ａとの当接部分に付着しても、固着力が弱くなって、押圧部７６ａを受圧部７７ａから引き離すことができる。
【００３３】
尚、押圧部７６ａと受圧部７７ａとの少なくとも一方、例えば、押圧部７６ａに、図７に示す如く、周方向の間隔を存して複数のドット状の凸部７６ｃを設けて、押圧部７６ａと受圧部７７ａとが点接触するようにしても、同様の効果が得られる。この場合、押圧部７６ａが受圧部７７ａに当接した状態で、押圧部７６ａ、即ち、調節弁用弁体７３２の閉塞弁部７３２ａと、受圧部７７ａ、即ち、調節弁用弁座７３１との間に、ガスが流れる空隙が確保されるため、調節弁用弁体７３２にバイパス通路７３２ｃを形成する必要はない。
【００３４】
以上、本発明の実施形態について図面を参照して説明したが、本発明はこれに限定されない。例えば、上記実施形態では、ガス弁装置７に電磁安全弁７２に加えて流量調節弁７３が組み込まれているが、流量調節弁７３を省略することも可能である。また、上記実施形態の加熱調理器はコンロであるが、コンロ以外の加熱調理器用のガス弁装置にも同様に本発明を適用できる。
【符号の説明】
【００３５】
１…調理器本体、１２…点消火ボタン（点消火操作部材）、３…バーナ、５…ガス供給路、７…ガス弁装置、７１…バルブケーシング、７２…電磁安全弁、７２１…安全弁用弁座、７２２…安全弁用弁体、７２２ａ…弁軸、７２３…弁バネ、７２４…吸着片、７２５…電磁石、７４…モータ、７６…操作ロッド，７６ａ…押圧部、７６ｂ，７６ｃ…凸部、７７…弁座部材、７７ａ…受圧部。
【図１】
2019100681.tif 000003
【図２】
2019100681.tif 000004
【図３】
2019100681.tif 000005
【図４】
2019100681.tif 000006
【図５】
2019100681.tif 000007
【図６】
2019100681.tif 000008
【図７】
2019100681.tif 000009